(57)【要約】
【課題】　　　　　　前開き式の折り曲げ蓋を有する包装箱の前蓋の閉鎖係止を容易確実に行う。
【解決手段】　　　　この考案は、多角形状の底板２の一辺に対し折曲げ揺動させて起立させるフラップ状の揺動周壁３ａを連設し、該揺動周壁３ａの左右両端と起立状態で交差する隣接壁４ａ，４ｂとを備えている。上記揺動周壁３ａの上端に組立状態で内側に向ってアングル状に折曲げられる上部フラップ１２ａを連設し、上記各隣接壁４ａ，４ｂの揺動周壁３ａとの交差端に組立状態で該揺動周壁３ａの内側に沿って起立する補助壁１４，２３を折曲げ可能に連設した包装箱１である。そして箱の組立状態における揺動周壁３ａの左右両端部上端と前記補助壁１４，２３の連設基端部の上端とに、補助壁１４，２３に沿わせて揺動周壁３ａを起立させた際に互いに係合して起立状態を保持する係止部１８を設けている。
【選択図】　　　　　図２
0003099821.tif 000002
【実用新案登録請求の範囲】
【請求項１】
　多角形状の底板（２）の一辺に対し折曲げ揺動させて起立させるフラップ状の揺動周壁（３ａ）を連設し、該揺動周壁（３ａ）の左右両端と起立状態で交差する隣接壁（４ａ，４ｂ）とを備え、上記揺動周壁（３ａ）の上端に組立状態で内側に向ってアングル状に折曲げられる上部フラップ（１２ａ）を連設し、上記各隣接壁（４ａ，４ｂ）の揺動周壁（３ａ）との交差端に組立状態で該揺動周壁（３ａ）の内側に沿って起立する補助壁（１４，２３）を折曲げ可能に連設した包装箱（１）において、組立状態における揺動周壁（３ａ）の左右両端部上端と前記補助壁（１４，２３）の連設基端部の上端とに、補助壁（１４，２３）に沿わせて揺動周壁（３ａ）を起立させた際に互いに係合して起立状態を保持する係止部（１８）を設けた包装箱における揺動周壁の係止構造。
【請求項２】
　包装箱が上部開放型であり、左右の隣接壁（４ａ，４ｂ）の上端に内側に向ってアングル状に折曲げられる上部フラップ（１２ｂ）を連設し、該上部フラップ（１２ｂ）と揺動周壁（３ａ）側の上部フラップ（１２ａ）とが互いに周壁上端において蓋受け用周縁部を形成する請求項１の包装箱における揺動周壁の係止構造。
【請求項３】
　補助壁（２３）が隣接壁（４ａ，４ｂ）の端部に連設されるフラップ（２３）である請求項１又は２の包装箱における揺動周壁の係止構造。
【請求項４】
　補助壁（１４）が揺動周壁（３ａ）と左右の隣接壁（４ａ，４ｂ）をそれぞれ連結し、内面側の中間部において山線の折目（１３）を介してひだ状に折曲げられる連結片（１４）である請求項１又は２の包装箱における揺動周壁の係止構造。
【請求項５】
　連結片（１４）における山線の折目（１３）の揺動周壁（３ａ）側と揺動周壁（３ａ）の内面とを接着固定してなる請求項４の包装箱における揺動周壁の係止構造。
【考案の詳細な説明】
【技術分野】
【０００１】
　この考案はケーキ等の収容物を収容する包装箱における揺動周壁の係止構造に関する。
【背景技術】
【０００２】
　従来の包装箱における揺動周壁の係止構造としては、図７，８に示すものが公知である。包装箱５１は正方形又は長方形の底板５２に対して、前壁（揺動周壁）５３ａ，後壁５３ｂと左右側壁（隣接壁）５４ａ，５４ｂが折曲げ起立可能に連設されており、後壁５３ｂの延長上に天板５６を介して差込部５７を備えた蓋フラップ５８が折曲げ可能に連設されている。また左右側壁５４ａ，５４ｂの後端に切込み５９を備えたフラップ６１が折曲げ可能に連設され、左右側壁５４ａ，５４ｂの上端には、組立状態で箱の内側にアングル状に折曲げられ、天板５６を支受する上部フラップ６２が折曲げ可能に連設されている。
【０００３】
　左右側壁５４ａ，５４ｂと前壁５３ａは中間部に山線の折目６３を備えた連結片６４により連結され、該連結片６４の中間部の山線の折目６３の前壁５３ａ側全面の接着代６６を介して前壁５３ａの接着代６６´と全面接着される。また起立状態における連結片６４の接着代６６側の上端には、左右側壁５４ａ，５４ｂの連結片６４側に形成された係止孔６７に挿入し係止固定する爪部６８を備えた差込フラップ６９が折曲げ可能に連設されている。
【０００４】
　以上のような構成による従来の包装箱５１の箱組みは、折畳み状態から左右側壁５４ａ，５４ｂ及び前壁５３ａを底板５２に対して起立回動させ、差込フラップ６９の爪部６８を係止孔６７に挿入し係止固定するとともに、左右側壁５４ａ，５４ｂの後端に折曲げ可能に連設されたフラップ６１の切込み５９を互いに上下から嵌合係止して、天板５６を支受し箱の形成を保持するとともに、蓋フラップ５８に備えられた差込部５７を前壁５３ａに形成された係止孔７１に挿入し箱組みを完成させる。
【考案の開示】
【考案が解決しようとする課題】
【０００５】
　しかし、上記従来の包装箱５１の揺動周壁（前壁５３ａ）の係止構造では、連結片６４を前壁５３ａ側に起立状態で折畳むとともに、さらに差込フラップ６９の爪部６８を係止孔６４に挿入し係止固定しなければならず、その係止作業が煩雑であり、折畳まれた連結片６４と差込フラップ６９により、前壁の厚みが増し、包装箱５１の容積が狭くなっていた。
【０００６】
　また差込フラップ６９による前壁５３ａの係止構造としたので、ケ−キ等の内容物の収納状態において、万一差込フラップ６９が外れた場合は、ケーキ等の内容物を痛めることがあるとともに、前壁５３ａの起立係止固定状態が不安定であるために、前壁５３ａが起立状態で包装箱の内側に凹むことがあった。さらに前壁５３ａの上端にフラップを設けていないので、蓋を構成する天板５６を十分に支受することができないとともに、塵やほこりが包装箱５１内部に侵入するという欠点があった。
　この考案は、これらの課題を解決又は改善しようとするものである。
【課題を解決するための手段】
【０００７】
　上記課題を解決するための本考案の包装箱における揺動周壁の係止構造は、第１に、多角形状の底板２の一辺に対し折曲げ揺動させて起立させるフラップ状の揺動周壁３ａを連設し、該揺動周壁３ａの左右両端と起立状態で交差する隣接壁４ａ，４ｂとを備え、上記揺動周壁３ａの上端に組立状態で内側に向ってアングル状に折曲げられる上部フラップ１２ａを連設し、上記各隣接壁４ａ，４ｂの揺動周壁３ａとの交差端に組立状態で該揺動周壁３ａの内側に沿って起立する補助壁１４，２３を折曲げ可能に連設した包装箱１において、組立状態における揺動周壁３ａの左右両端部上端と前記補助壁１４，２３の連設基端部の上端とに、補助壁１４，２３に沿わせて揺動周壁３ａを起立させた際に互いに係合して起立状態を保持する係止部１８を設けたことを特徴としている。
【０００８】
　第２に、包装箱が上部開放型であり、左右の隣接壁４ａ，４ｂの上端に内側に向ってアングル状に折曲げられる上部フラップ１２ｂを連設し、該上部フラップ１２ｂと揺動周壁３ａ側の上部フラップ１２ａとが互いに周壁上端において蓋受け用周縁部を形成することを特徴としている。
【０００９】
　第３に、補助壁２３が隣接壁４ａ，４ｂの端部に連設されるフラップ２３であることを特徴としている。
【００１０】
　第４に、補助壁１４が揺動周壁３ａと左右の隣接壁４ａ，４ｂをそれぞれ連結し、内面側の中間部において山線の折目１３を介してひだ状に折曲げられる連結片１４であることを特徴としている。
【００１１】
　第５に、連結片１４における山線の折目１３の揺動周壁３ａ側と揺動周壁３ａの内面とを接着固定してなることを特徴としている。
【考案の効果】
【００１２】
　以上の如く構成される本考案の包装箱における揺動周壁の係止構造によれば、以下に示すような効果を奏するものである。
（１）左右のフラップを立てて、前壁（揺動周壁）端部に連設された上部フラップを包装箱内側にアングル状に折曲げるだけで係止することができるので、前壁の係止が容易であり、取外す際には上部フラップを起立させるだけで良いので、取外しも容易である。また起立係止状態の前壁は内側に凹み又は外側に膨らむことのない壁強度とすることができる。さらに周壁上端に連設した上部フラップにより箱組み後のゴミ等の侵入を防止することができる。
【００１３】
（２）前壁（揺動周壁）と左右側壁（隣接壁）の上端に連設された上部フラップが互いに周壁上端において、蓋受け用周縁部を形成するので、蓋を十分な面積の周縁部で受け止めて支持することができる。
【００１４】
（３）補助壁を左右側壁（隣接壁）の端部に連設した前フラップとすることにより、ケーキ等の内容物を収納後に該前フラップを内側に折曲げ、前壁を起立させ、上述の係止部により係止固定すれば良いので、ケーキ等の出し入れが容易である。
【００１５】
（４）補助壁が前壁（揺動周壁）と左右側壁（隣接壁）をそれぞれ連結し、内面側の中間部において山線の折目を介してひだ状に折曲げられる連結片であり、該連結片の山線の折目の前壁側と前壁の内面とを接着固定する構成としたので、前壁が前記連結片と接着代により、起立する力が働き、組立が容易になるとともに、一旦係止固定した前壁は連結片のクッション性と上述の係止部との相反作用により、容易に前壁が外れることがない。
【考案を実施するための最良の形態】
【００１６】
　以下本考案の実施形態を図面に基づき説明する。図１は本包装箱の箱組み完成状態を示す斜視図，図２は組立途中を示す斜視図，図３は展開図である。
【００１７】
　包装箱１は、正方形又は長方形の底板２に対して、揺動周壁である前壁３ａ，後壁３ｂ及び隣接壁である左右側壁４ａ，４ｂが折曲げ起立可能に連設されており、後壁３ｂの延長上に天板６を介して一対の係止孔７を備えた蓋フラップ８が折曲げ可能に連設されている。また左右側壁４ａ，４ｂの後端には切込み９を備えたフラップ１１が折曲げ可能に連設され、前壁３ａ及び左右側壁４ａ，４ｂの上端には、包装箱１の内側に向ってアングル状に折曲げられる上部フラップ１２ａ，１２ｂが連設されている。そして起立状態での前記フラップ１１及び上部フラップ１２ａ，１２ｂが天板６を支受する蓋受け用周縁部を形成している。
【００１８】
　また前壁３ａと左右側壁４ａ，４ｂ間には、中間部に山線の折目１３を介して各隣接する壁を連結するひだ状の連結片（補助壁）１４が折曲げ可能に連設され、該連結片１４の折目１３の前壁３ａ側全面を接着代１６とし、前壁３ａ内側の接着代１６´と接着剤等で接着する構成となっている。
【００１９】
　さらに前壁３ａと上部フラップ１２ａとの間の折目の左右両端部に切込み１８ａを形成するとともに、起立状態における連結片１４の左右側壁４ａ，４ｂとの連結基端部の上端に、前記切込み１８ａとで係止部１８を構成する係止爪１８ｂが突出形成されている。また前壁３ａには、上記蓋フラップ８に形成された係止孔７に挿入され係止固定する左右に突出部２１を備えた係止片２２が設けられている。
【００２０】
　図４，５に示すように、係止部１８の係止手順は、左側壁４ａの上端に折曲げ可能に連設された上部フラップ１２ｂを起立状態に保ち、前壁３ａを起立方向であるＡ方向に起立させる。そして上部フラップ１２ａをＢ方向である包装箱１の内側にアングル状に折曲げて、係止爪１８ｂを切込み１８ａに嵌合し係止固定するとともに、上部フラップ１２ｂをＣ方向である包装箱１の内側にアングル状に折曲げて係止部１８の係止固定が完了する。
【００２１】
　また上記係止部１８の係止固定を解除する場合は、上記手順とは逆にＣ，Ｂ，Ａの順で上部フラップ１２ｂを起立させ、次に上部フラップ１２ａを起立させて切込み１８ａから係止爪１８ｂを外すとともに、前壁３ａを手前に回動させると係止部１８の係止固定状態が解除される。
【００２２】
　上記構成による本包装箱１は、予め接着代１６を前壁３ａ内側の１６´に接着固定し、左右側壁４ａ，４ｂ，上部フラップ１２ｂ，フラップ１１がそれぞれ底板２上に折畳み重ねられた状態（図示しない）から、左右側壁４ａ，４ｂ及び上部フラップ１２ｂを底板２に対して起立回動させる。そして前壁３ａを前述の係止部１８によって係止固定し、フラップ１１を包装箱１の内側にアングル状に折曲げて切込み９を互いに上下から嵌合係止させ、上述の上部フラップ１２ａ，１２ｂとともに天板６を支受し箱の形成を保持する。さらに蓋フラップ８の係止孔７に前壁３ａに形成された係止片２２の突出部２１を挿入し係止固定して、包装箱１の箱組みを完成させる。
【００２３】
　また図６に示すように、第２実施形態として包装箱１´のような構造とすることもできる。包装箱１´における補助壁は、左右側壁４ａ，４ｂの前端に折曲げ可能に連設された前フラップ２３であり、該前フラップ２３の連設基端部の上端には係止爪１８ｂが突出形成され、該係止爪１８ｂと切込み１８ａとで係止部１８を構成し、前壁（揺動周壁）３ａの係止構造を形成している。
【００２４】
　さらに包装箱１´では、後壁３ｂの両端に下端に係止爪２４を備えた内接フラップ２６が折曲げ可能に連設され、予め左右側壁４ａ，４ｂと該内接フラップ２６が接着剤等により接着されている。そして箱組み時には、左右側壁４ａ，４ｂに形成された折目２７を介して折畳み収納された状態（図示しない）から、左右側壁４ａ，４ｂを起立させると同時に、内接フラップ２６下端に形成された係止爪２４を左右側壁４ａ，４ｂ下端に形成された係止孔２８に嵌合させて、側壁の起立を固定する。但しその他の構造は、包装箱１と同様であるために説明を省略する。
【００２５】
　以上のように構成される本考案の包装箱における揺動周壁の係止構造は、底板が正方形や長方形の箱体だけでなく、六角形等の各種多角形の揺動周壁の係止構造とすることもできる。
【図面の簡単な説明】
【００２６】
【図１】本包装箱の箱組み完成状態を示す斜視図である。
【図２】本包装箱の組立途中を示す斜視図である。
【図３】本包装箱の内面展開図である。
【図４】本包装箱の前壁係止構造の係止途中を示す拡大斜視図である。
【図５】本包装箱の前壁係止構造の係止状態を示す拡大斜視図である。
【図６】本包装箱の第２実施形態の展開図である。
【図７】従来の包装箱の組立途中を示す斜視図である。
【図８】従来の包装箱の内面展開図である。
【符号の説明】
【００２７】
　　１　　　包装箱
　　２　　　底板
　　３ａ　　前壁（揺動周壁）
　　３ｂ　　後壁
　　４ａ　　左側壁（隣接壁）
　　４ｂ　　右側壁（隣接壁）
　　１２ａ　上部フラップ
　　１２ｂ　上部フラップ
　　１３　　折目
　　１４　　連結片（補助壁）
　　１８　　係止部
　　２３　　前フラップ（補助壁）
【図１】
0003099821.tif 000003
【図２】
0003099821.tif 000004
【図３】
0003099821.tif 000005
【図４】
0003099821.tif 000006
【図５】
0003099821.tif 000007
【図６】
0003099821.tif 000008
【図７】
0003099821.tif 000009
【図８】
0003099821.tif 000010